(57)【要約】【課題】視覚に障がいを持つ人が使用者であった場合の利便性を高める携帯端末装置を提供すること。【解決手段】  情報を送受信する通信処理部（図示しない）と、情報を表示する表示部とユーザの操作入力を受け付ける操作部とが一体であるタッチパネル部１０２と、点字表示が可能な点字表示部１０３と、タッチパネル部１０２と点字表示部１０３への表示を制御する制御部３０１と、を備え、タッチパネル部１０２は、ユーザのタッチパネル部１０２への接触位置を検出し、制御部３０１は、タッチパネル部１０２の接触位置に表示されている情報を点字表示部１０３で点字表示するように制御する、携帯端末装置。【選択図】  図１(ｂ)
2012156607.tif 000002
【特許請求の範囲】
【請求項１】
携帯端末装置であって、
情報を送受信する通信処理部と、
情報を表示する表示部と、
ユーザの操作入力を受け付ける入力部と、
点字表示が可能な点字表示部と、
前記表示部と前記点字表示部への表示を制御する制御部と、
を備え、
前記表示部は、ユーザの該表示部への接触位置を検出して前記制御部に出力し、
前記制御部は、前記表示部の前記接触位置に表示されている情報を前記点字表示部で点字表示するように制御する、携帯端末装置。
【請求項２】
携帯端末装置であって、
情報を送受信する通信処理部と、
情報を表示する表示部とユーザの操作入力を受け付ける操作部とが一体であるタッチパネル部と、
点字表示が可能な点字表示部と、
前記タッチパネル部と前記点字表示部への表示を制御する制御部と、
を備え、
前記タッチパネル部は、ユーザの該タッチパネル部への接触位置を検出して前記制御部に出力し、
前記制御部は、前記タッチパネル部の前記接触位置に表示されている情報を前記点字表示部で点字表示するように制御する、携帯端末装置。
【請求項３】
請求項１または２のいずれかに記載の携帯端末装置において、
前記タッチパネル部に表示される情報は文字または文字列であり、
前記制御部は、前記タッチパネル部の前記接触位置に表示されている前記文字または文字列を前記点字表示部で点字表示するように制御する、携帯端末装置。
【請求項４】
請求項１ないし３のいずれかに記載の携帯端末装置において、
前記タッチパネル部に表示される情報はアイコンであり、
前記制御部は、前記タッチパネル部の前記接触位置に表示されている前記アイコンの情報を前記点字表示部で点字表示するように制御する、携帯端末装置。
【請求項５】
請求項１ないし４のいずれかに記載の携帯端末装置において、
前記点字表示部は、前記タッチパネル部の下部または背面に配置されている、
携帯端末装置。
【請求項６】
請求項１ないし５のいずれかに記載の携帯端末装置において、
前記タッチパネル部に文字列が表示されている場合、前記制御部は前記接触位置の変化の推移を検出し、前記推移が所定の軌跡を描いた場合、前記タッチパネル部の表示を変化させる、
携帯端末装置。
【請求項７】
請求項１ないし６のいずれかに記載の携帯端末装置において、
前記タッチパネル部と前記点字表示部の表示を切り替える表示切替スイッチまたは表示切替アイコンを備え、
前記表示切替スイッチまたは前記表示切替アイコンが操作されると、前記制御部は、前記タッチパネル部の視覚表示がされている場合は前記視覚表示を停止し、前記タッチパネル部の前記視覚表示がされていない場合には視覚表示を行うように制御する、携帯端末装置。
【発明の詳細な説明】
【技術分野】
【０００１】
本発明は、視覚障がい者向けの携帯端末装置に関するものである。
【背景技術】
【０００２】
本技術分野の背景技術として、特許文献１に「表示部における表示内容に応じて装置本体の一部をアクチュエータにより突出させることから、表示内容を操作者の視覚だけでなく触覚を介して伝えることができるので、操作者に表示内容を直感的に報知することができ、操作者における操作性を向上することが可能となる」「移動体端末装置」について記載されている。
【先行技術文献】
【特許文献】
【０００３】
【特許文献１】特開２０１０−３４８３３号公報。
【発明の概要】
【発明が解決しようとする課題】
【０００４】
近年、タッチパネルをインタフェースとして備えた携帯端末装置が多く利用されている。このようなタッチパネル式携帯端末装置においては、情報を表示する表示画面と、操作者の操作入力を受け付ける操作画面とが同じものである。操作者は、表示画面に表示された文字情報などを読むことができるし、また、同じ画面に表示されているボタン（アイコン）を指等でタッチすることで、ある特定の機能を実行することができる。これにより、利便性の高い携帯端末装置が実現されている。このように、タッチパネル式の携帯端末装置は、画面に表示されている情報を見ながら操作する必要があるため、視覚に障がいを持たない人が利用することを前提としている。
【０００５】
そこで、特許文献１には「表示部は、前記接触検出部が設けられる装置本体の背面部分に配置され、前記アクチュエータは、前記表示部における表示内容に応じて前記接触検出部の一部を突出させる」、すなわち情報を表示する表示部と重なるように、表示部の一部を突出させることができるアクチュエータを備えている、と記載されている。これにより、「文字内容を翻訳した点字に対応するアクチュエータ３０を駆動すること」もでき、視覚に障がいを持つ人であっても表示画面に表示される文字を読み取ることが可能となる。
【０００６】
しかし、特許文献１記載の技術では表示部で点字表示を行う。点字表示は２行３列の計６点で文字や数字の１文字を表現するため、１文字の表示に必要な領域は、点の配置の間隔によって決定される。そのため、特許文献１記載の技術では、表示部の大きさによって点字表示できる文字数・情報量が限られてしまう。
【０００７】
具体的には、アイコンの表示の制限である。表示部に表示されているアイコンは、操作の内容を分かりやすく図、絵や縮小した文字で表している。例えば、文章の一部をコピーする機能を表現したアイコンがある。このアイコンがコピー機能を持っていることを表現するために、文字の大きさを小さくして表示することでアイコン一つ分の表示スペースに「コピー」の３文字分の情報を表示することが可能となる。しかし、視覚に障がいを持つ人がタッチパネル式携帯端末の操作者である場合に、特許文献１記載の技術を用いて３文字を点字で表現する場合には、文字の大きさを小さくすることができない。
【０００８】
このように、タッチパネル式携帯端末装置の場合、操作部と表示部がタッチパネル部として一体となっているため、点字表示によりタッチパネル部に表示できる情報量が限られてしまうと、視覚に障がいを持つ人が操作者の場合に利便性が損なわれてしまう可能性がある。
【０００９】
そこで本発明は、このような問題点を解決するものであり、視覚に障がいを持つ人が操作者あっても利便性を損なわない視覚障がい者向けの携帯端末装置を提供することを目的としている。
【課題を解決するための手段】
【００１０】
上記課題を解決するために、例えば特許請求の範囲の記載の構成を採用する。
【００１１】
本願は上記課題を解決する手段を複数含んでいるが、その一例を挙げるならば、携帯端末装置であって、情報を送受信する通信処理部と、情報を表示する表示部と、ユーザの操作入力を受け付ける入力部と、点字表示が可能な点字表示部と、前記表示部と前記点字表示部への表示を制御する制御部と、を備え、前記表示部は、ユーザの該表示部への接触位置を検出して前記制御部に出力し、前記制御部は、前記表示部の前記接触位置に表示されている情報を前記点字表示部で点字表示するように制御することを特徴とする。
【発明の効果】
【００１２】
本発明に係る携帯端末装置によれば、視覚に障がいを持つ人の利便性を高めることが可能となる。
【図面の簡単な説明】
【００１３】
【図１（ａ）】実施例１に係る携帯端末装置の正面外観の概要図である。
【図１（ｂ）】実施例１に係る携帯端末装置の背面外観の概要図である。
【図２（ａ）】実施例１に係る携帯端末装置を操作者が保持したときの様子を示した正面の図である。
【図２（ｂ）】実施例１に係る携帯端末装置を操作者が保持したときの様子を示した背面の図である。
【図３】実施例１に係る携帯端末装置の機能ブロック図である。
【図４（ａ）】実施例１に係る点字表示部で「と」を表示した構成図である。
【図４（ｂ）】実施例１に係る点字表示部で「きょ」を表示した構成図である。
【図５（ａ）】実施例１に係るタッチパネル部の表示の一例である。
【図５（ｂ）】実施例１に係るタッチパネル部上での操作者の手の移動を示す図である。
【図６（ａ）】実施例１に係るタッチパネル部に表示された文字列に、操作者の手が触れた時の様子を示す図である。
【図６（ｂ）】実施例１に係るタッチパネル部に表示されたアイコンに、操作者の手が触れた時の様子を示す図である。
【図７】実施例１に係る制御部の動作のフローチャートである。
【図８】実施例１に係る携帯端末装置の他構成の外観の概要図である。
【発明を実施するための形態】
【実施例１】
【００１４】
以下、本発明の実施の形態の実施例１について、図面を用いて詳細に説明する。
【００１５】
図１（ａ）は、本発明の実施の形態に係る携帯端末装置の正面外観図であり、図１（ｂ）は、本発明の実施の形態に係る携帯端末装置の背面外観図である。本実施の形態に係る携帯端末装置１０１は、図１（ａ）に示すように正面にタッチパネル部１０２、図１（ｂ）に示すように背面に点字表示部１０３を備えており、また、表示切替スイッチ１０４を備えている。
【００１６】
次に、本発明の実施の形態に係る携帯端末装置１０１を、操作者が手で保持した時の様子の一例を、図２を用いて説明する。
【００１７】
図２（ａ）は、本発明の実施の形態に係る携帯端末装置１０１を、操作者が手で保持した時の、正面の様子の一例を示している。操作者の保持手の平２０１は携帯端末装置１０１を支えており、保持手の親指２０２と、保持手の中指２０３および保持手の薬指２０４および保持手の小指２０５とによって、携帯端末装置１０１を挟み込んで支えている。図２（ｂ）は、本発明の実施の形態に係る携帯端末装置を、操作者が手で保持した時の、背面の様子の一例を示している。操作者の保持手の甲２０１は携帯端末装置１０１を支えており、保持手の親指２０２と、保持手の中指２０３および保持手の薬指２０４および保持手の小指２０５とによって、携帯端末装置１０１を挟み込んで支えている。また、保持手の人差し指２０６は、点字表示部１０３に触れるような形で、携帯端末装置１０１の背面を支えている。このため、視覚に障がいを持つ人が操作者であっても携帯端末装置１０１を保持するだけで保持手の人差し指２０６を用いて点字表示部１０３に表示される点字を読み取ることが可能となる。
【００１８】
本実施の形態におけるタッチパネル部１０２は、端末操作者による接触位置を検出する機能を備えており、操作面への接触がなされたか否かを示す接触検出信号および、操作面への接触位置座標値（Ｘ軸、Ｙ軸）を示す接触座標信号を出力するように構成されている。また、タッチパネル部１０２は文字や図柄、アイコンなどの情報を表示する機能を備えている。
【００１９】
タッチパネル部１０２の接触を検出する機能は、抵抗膜式、超音波式、光電式、静電容量式などの、一般的なタッチパネルの既存技術によるものであり、その詳細な説明は省略する。また、タッチパネル部１０２の文字や図柄などを表示する機能は、ＬＣＤ装置（液晶ディスプレイ装置）、ＥＬ（エレクトロルミネセンス）ディスプレイ装置、ＣＲＴ（カソードレイチューブ）装置などの、一般的なディスプレイの既存技術によるものであり、その詳細な説明は省略する。
【００２０】
図３は、本実施の形態に係る携帯端末装置１０１の機能ブロック図である。図３に示す機能ブロックについては本発明を説明するために簡略化したものであり、携帯端末装置１０１は通常の携帯端末装置に必要な処理機能を備えるものとする。図３に示すように、携帯端末装置１０１は制御部３０１を備えている。制御部３０１にはタッチパネル部１０２と点字表示部１０３が接続され、タッチパネル部１０２が出力する前記接触検出信号および前記接触座標信号を受け取って、タッチパネル部１０２および点字表示部１０３が表示する内容を指示する。
【００２１】
また、制御部３０１には表示切り替えスイッチ１０４も接続されている。表示切替スイッチ１０４が押されると、表示切替信号が出力され、制御部３０１に入力される。制御部３０１は、表示切替信号が入力されると、タッチパネル部１０２に対して、文字や図柄、アイコンなどの視覚表示している場合には全ての視覚表示を停止させ、視覚表示を停止している場合には全ての視覚表示を再開させることができる。
【００２２】
次に、本実施の形態における点字表示部１０３の構成と、制御部３０１が点字表示部１０３に指示する表示の一例について図４を用いて説明する。本実施の形態における点字表示部１０３は、音符表示マス部４０１と、文字表示マス部４０２とを備えており、音符表示マス部４０１と文字表示マス部４０２との２マス分を用いて１文字または１音節を点字で表示することができる。
【００２３】
制御部３０１は点字表示部１０３に対して、音符表示マス部４０１および文字表示マス部４０２のそれぞれにどのような表示を行うかを指示する。図４（ａ）は本実施の形態における点字表示部１０３において、平仮名の１文字「と」を表示した場合の例である。平仮名の１文字「と」を点字で表示する場合、制御部３０１は、音符表示マス部４０１には何も表示せずに、文字表示マス部４０２に平仮名の１文字「と」を表示するように、点字表示部１０３に指示する。
【００２４】
次に、図４（ｂ）は、本実施の形態における点字表示部１０３において、平仮名の１音節「きょ」を表示した場合の例である。平仮名の１音節「きょ」を点字で表示する場合、制御部３０１は、点字表記の規則に従い音符表示マス部４０１には拗音符を表示し、文字表示マス部４０２に平仮名の「こ」を表示するように、点字表示部１０３に指示する。
【００２５】
また、音符表示マス部４０１は、拗音符だけではなく、濁音符、半濁音符、などを表示するために用いることができる。前記のとおり、制御部３０１は、点字表示部１０３に対して、文字表示マス部４０２のみを用いて１文字を表示するよう指示することができ、また、音符表示マス部４０１と文字表示マス部４０２の両方を同時に用いて１音節を表示するよう指示することもできる。点字表示部１０３では、制御部３０１の指示に従い１文字または１音節を点字表示する。
【００２６】
本実施例に係る点字表示部１０３は、音符表示マス部４０１と文字表示マス部４０２の１セット備え、１文字または１音節ずつ点字表示しているが、表示マスを２セット以上備えていても良い。配置される表示マス部の数が多い場合、一度に多くの文字を点字表示できるため、操作者の利便性が向上する。
【００２７】
また、音符表示マス部４０１と文字表示マス部４０２は、例えば、特開２００９−２８８７５７号公報に記載された手法を用いて構成される。具体的には、圧電素子に対し、電圧を断続的に与えることで起きる振動を利用して、その圧電素子に接続された軸に嵌められた移動子が振動によって移動することを利用して、点字の表示を行う。ただし、音符表示マス部４０１と文字表示マス部４０２は、前記の特開２００９−２８８７５７号公報に記載された、圧電素子の振動を利用する手法に限るものではなく、電磁石、熱膨張、スプリングの力、モーターの力、空気圧、その他機械的な機構または電子的な機構によって構成されても良い。
【００２８】
次に、本実施の形態において、制御部３０１がタッチパネル部１０２に指示する表示の一例について、図５を用いて説明する。本実施の形態における制御部３０１は、タッチパネル部１０２を、図５（ａ）に示すＹ軸方向に２つに分割することにより、所定の文字または文字列を表示できる文字表示領域５０６と、所定の動作の実行開始を指示するための操作アイコンを表示できるアイコン表示領域５０７とに区別して表示するように指示することができる。また、文字表示領域５０６をＸ軸方向に分割することで、所定の数の文字・音節表示領域５０８を表示するように指示することができる。文字・音節表示領域５０８には、１文字または１音節が表示される。
【００２９】
図５（ａ）では、「特許庁でいろはにほへとちりぬるを」という言葉を、点字表示する元々の文字列５０４としたときの例を示している。本実施例における携帯端末装置１０１で点字表示する文字列は、送受信したメールの本文であったり、携帯端末装置１０１によるインターネット利用等や通信処理部（図示しない）を介して得た情報である。
【００３０】
また、携帯端末装置１０１が撮像手段やテキストデータを取得する手段、音声認識手段を有する場合は、撮像手段やテキストデータを取得する手段が雑誌や書籍から取得した文字列や、音声認識手段により取得した音声データを変換した文字列を表示しても良い。携帯端末装置１０１が携帯型点字表示装置としても機能することにより、操作者の利便性が向上する。
【００３１】
制御部３０１は、表示する元々の文字列５０４を、２列３行の計６点で点字表記が可能なようにすべて平仮名に変換し、表示仮名列５０５を生成する。図５（ａ）の例では、表示仮名列５０５は１８文字・音節の「とっきょちょうでいろはにほへとちりぬるを」となる。このとき文字表示領域５０６は、６個の文字・音節表示領域５０８に分割されているため、１８文字の表示仮名列５０５を、一度にすべて表示することはできない。
【００３２】
そこで、制御部３０１は表示仮名列５０５を複数の行に分割する。このとき、１行は文字・音節表示領域５０８の数以下の文字・音節数から構成されるものとする。図５（ａ）の例では、文字・音節表示領域５０８の数は６個であるため、１行は６文字・音節以下であり、制御部３０１は、「とっきょちょうでいろはにほへとちりぬるを」の１８文字の表示仮名列５０５を「とっきょちょうで」「いろはにほへ」「とちりぬるを」の３行に分割する。
【００３３】
そして、最初の行である「とっきょちょうで」を、１文字または１音節毎に分割し、「と」「っ」「きょ」「ちょ」「う」「で」という６個の文字・音節に分割する。制御部３０１は、前記６個の文字・音節を、文字・音節表示領域５０８に１文字または１音節ずつ表示するように、タッチパネル部１０２に指示する。
【００３４】
また、図５（ａ）の例では、アイコン表示領域５０７には、コピー動作アイコン５０１と、貼り付け動作アイコン５０２と、表示切り替え動作アイコン５０３とが表示されている。このように、制御部３０１はタッチパネル部１０２に対して、任意の文字、文字列またはアイコンを任意の位置に表示するように、表示する内容と表示する座標とを指示することができる。
【００３５】
また、制御部３０１は前記接触座標信号を利用して、操作者の手５０９がタッチパネル１０２に触れたまま移動したときの接触位置の変化の推移を接触位置の軌跡として監視し、接触位置の変化の推移がが所定の軌跡を描いたならば、文字表示領域５０６に表示する表示仮名列５０５の行を変化させることができる。
【００３６】
例えば図５（ｂ）の例では、文字表示領域５０６に「とっきょちょうで」という行が表示されている。このときに、操作者の手５０９が所定の軌跡、例えば、文字表示領域５０６を左から右（Ｘ軸増加方向）に横断して「と」「っ」「きょ」「ちょ」「う」「で」と順番に移動した軌跡を描いた場合、表示仮名列５０５の２番目の行である「いろはにほへ」を表示するように指示をすることが可能である。
【００３７】
なお、操作者の手５０９が左から右に移動する、という所定の軌跡を描くことによって１番目の行の次に２番目の行を表示するような順送り表示動作をすることも可能であるが、また別の所定の軌跡、例えば文字表示領域５０６を右から左（Ｘ軸減少方向）に横断する動きであった場合には、２番目の行の次に１番目の行を表示するような巻き戻り表示動作をしてもよい。このように、順送り・巻き戻り表示動作が可能なことで、文字列を行き来しながら点字を読み取ることが出来るので、正確に文字列を理解することが出来る。
【００３８】
次に、本実施の形態における携帯端末装置１０１において、タッチパネル部１０２に操作者がタッチした場合の制御部３０１の動作について、図６および図７を用いて説明する。図６は、操作者の手５０９がタッチパネル部１０２にタッチした様子の一例を示しており、図７は、操作者の手５０９がタッチパネル部１０２にタッチした時の制御部３０１の動作のフローチャートの一例である。
【００３９】
図６（ａ）の例では、文字表示領域５０６には「とっきょちょうで」と表示されており、操作者の手５０９が「ちょ」を表示している文字・音節表示領域５０８にタッチしている様子を示している。一方、図６（ｂ）の例では、アイコン表示領域５０７にはコピー動作アイコン５０１と、貼り付け動作アイコン５０２と、表示切替動作アイコン５０３とが表示されており、操作者の手５０９が表示切替動作アイコン５０３にタッチしている様子を示している。
【００４０】
前記のように、操作者の手５０９がタッチパネル部１０２にタッチした時の制御部３０１の動作の一例を、図７のフローチャートを用いて説明する。
【００４１】
まず、ステップＳ７０１において、タッチパネル部１０２が出力する接触検出信号によって、操作者の手５０９がタッチパネル部１０２に接触しているか否かを判定する。ここで、操作者の手５０９がタッチパネル部１０２に接触していなかった場合には、ステップＳ７０７を実行し、接触していた場合には、ステップＳ７０２を実行する。
【００４２】
ステップＳ７０２では、タッチパネル部１０２が出力する接触座標信号によって、操作者の手５０９が接触しているのは、文字表示領域５０６であるのか、アイコン表示領域５０７であるのかを判断する。図６（ａ）の例では、操作者の手５０９は、文字表示領域５０６にタッチしているため、次にステップＳ７０３を実行する。図６（ｂ）の例では、操作者の手５０９は、アイコン表示領域５０７にタッチしているため、次にステップＳ７０４を実行する。
【００４３】
ステップＳ７０３では、前記接触座標信号が示す座標と一致する座標に表示されている文字・音節表示領域５０８の表示内容（１文字または１音節）を点字表示するように、点字表示部１０３に指示し、ステップＳ７０１に戻る。
【００４４】
なお、図６（ａ）の例においては、操作者の手５０９は、「ちょ」を表示している文字・音節表示領域５０８にタッチしている。そのため、制御部５０１は点字表示部１０３に対して「ちょ」を表示するように指示する。具体的には、点字表示部１０３の音符表示マス４０１には拗音符を表示し、文字表示マス４０２には平仮名の「と」を表示するように指示する。
【００４５】
ステップＳ７０４では、タッチパネル部１０２が出力する前記接触座標信号によって、操作者の手５０９が接触している座標が、操作アイコンが実際に表示されている座標と一致しているのかどうかを比較する。比較の結果、一致していない場合には、ステップＳ７０７を実行し、一致している場合にはステップＳ７０５を実行する。
【００４６】
ステップＳ７０５では「アイコン」という意味を示す所定の点字を表示するように、点字表示部１０３に指示する。ここで、「アイコン」という意味を示す所定の点字とは、例えば、「ア」「イ」「コ」「ン」を１文字または１音節ずつ、所定の時間間隔で順番に点字表示するのでも良いし、あるいは、通常の日本語またはその他の言語を点字表示する場合には使用されない点字を表示しても良い。これにより、点字表示部１０３に表示される点字を読み取っている者は、現在接触しているのは文字ではなくアイコンであることを認識することができる。
【００４７】
ステップＳ７０６では、前記接触座標信号が示す座標と一致する座標に表示されているアイコンの名称、あるいはアイコンの説明を、１文字または１音節ずつ、所定の時間間隔で順番に点字表示するように、点字表示部１０３に指示し、ステップＳ７０１に戻る。ステップＳ７０７では、点字表示部１０３に対して、点字表示を停止するように指示する。
【００４８】
以上のように、本実施の形態に係る携帯端末装置１０１によれば、操作者が触れたタッチパネル部１０２の表示内容を、点字表示部１０３に点字表示することが可能である。また、操作者が携帯端末装置１０１を保持するだけで、保持する手の指が自然に点字表示部１０３に触れることになり、操作者は片手で携帯端末装置１０１を保持したまま点字表示を読み取ることができるため、視覚に障がいを持つ人の利便性を高めることが可能となる。
【００４９】
また、前述のとおり、操作者が触れたタッチパネル部１０２上の座標位置を監視しており、操作者の手の動きが所定の軌跡を描いた場合に、自動的に表示する文字列内容を変化させる機能を持つので、操作者がある行を読みとった後、すぐに次の行が表示される、といった順送り、あるいは巻き戻りなどの動作を自動で簡単に実行することができ、正確に文字列を理解することができ、視覚に障がいを持つ人の利便性を高めることが可能となる。
【００５０】
さらに、視覚に障がいを持つ人が操作者である場合に、表示切り替えスイッチ１０４によって、タッチパネル部１０２に文字や図柄、アイコンなどを視覚表示する必要が無い場合には、視覚表示を停止することで低消費電力化を実現することができる。また、必要に応じてタッチパネル部１０２に文字や図柄、アイコンなどを視覚表示することが可能なので、例えば視覚に障がいを持たない人に支援を要請することが容易にでき、利便性を向上させることができる。
【００５１】
なお、本実施例においては、携帯端末装置１０１は表示切り替えスイッチ１０４を備えているが、表示切り替えスイッチとまったく同一の機能を、タッチパネル１０２上に表示される操作アイコン、具体的には、図４に示した表示切り替えアイコン４０３などによって実現しても良い。
【００５２】
上記では、アイコンの情報を点字表示するためのフローについて説明した。操作者の手５０９の、アイコンの情報を点字表示部に表示させるためのアイコンへのタッチと、アイコンを起動させるためのタッチとを区別するために、タッチパネル部上のアイコンへのタッチの回数を用いても良い。例えばアイコンへのタッチが１回の場合は点字表示、タッチが所定の時間内に２回行われた場合はアイコンの起動、というようにタッチを区別させる。
【００５３】
また、点字表示部への表示について、本実施例では日本語の文字列を例に挙げて説明したが、３行２列の６点の点字で表記できれば良く、英語のアルファベットや電話番号などの数字も本実施例の携帯端末装置で点字表示部に表示することができる。
【００５４】
図５、６に示す画面で、テキストを点字表示させるだけではなく、メールを作成するなど操作者がテキストを編集することも可能である。具体例としては、文字表示領域５０６はテキスト編集画面とし、アイコン表示領域５０７に平仮名、数字、アルファベットを表示させる。表示された文字を選択し、テキストを作成する。そして、タッチパネル部１０２の文字表示領域５０６上で操作者の手が所定の軌跡を描いたならば、作成したテキストの順送り・巻き戻り表示動作を行い、点字表示部１０３に点字表示させることが出来るので作成したテキストの確認が出来る。
【００５５】
なお、本実施例では携帯端末装置の入力部はタッチパネル部１０２のほかに操作者の入力操作を受け付ける入力部を有していても良い。
【００５６】
点字表示部１０３について、本実施例ではタッチパネル部の背面に配置した携帯端末装置１０１について述べてきたが、図８に示すように、タッチパネル部の下部に点字表示部１０３が配置されていても良い。
【００５７】
図８は、携帯端末装置８０１を、操作者が手で保持した時の、正面の様子の一例を示している。なお、図８において、図２（ａ）と同様の構成については同一の符号を付し、その説明は省略する。実施例２に係る携帯端末装置８０１は、点字表示部１０３を、装置背面に備えるのではなく、携帯端末装置８０１正面下部に備える点においてのみ、実施例１に係る携帯端末装置１０１と異なっている。
【００５８】
図８では、操作者の保持手の平２０１は、保持手の親指２０２とともに携帯端末装置８０１を挟み込んで支えている。また、保持手の中指２０３および保持手の薬指２０４および保持手の小指２０５および、図示されていないが保持手の人差し指は、携帯端末装置１０１の背面を支えている。また、保持手の親指２０２は、携帯端末装置８０１の正面下部に配置されている点字表示部１０３に触れている。
【００５９】
このように、本実施の形態に係る携帯端末装置８０１によれば、視覚に障がいを持つ人が操作者であっても、本装置を保持するだけで保持手の親指２０２を用いて点字表示部１０３に表示される点字を読み取ることが可能となる。また、携帯端末装置８０１を机上において操作する際にも、点字表示部１０３への接触が容易であり、視覚に障がいを持つ人の利便性を高めることができる。
【００６０】
以上、点字表示部を有する携帯端末装置について説明したが、本実施例に係る携帯端末装置１０１、８０１が音声ガイダンス手段を有していても良い。点字表示部１０３による点字表示機能と音声ガイダンス機能とが連携することにより、視覚に障がいを持つ人が携帯端末装置の操作者の場合の利便性がより高まる。
【符号の説明】
【００６１】
１０１  携帯端末装置
１０２  タッチパネル部
１０３  点字表示部
１０４  表示切り替えスイッチ
２０１  保持手の平
２０２  保持手の親指
２０３  保持手の中指
２０４  保持手の薬指
２０５  保持手の小指
２０６  保持手の人差し指
２０７  保持手の甲
３０１  制御部
４０１  音符表示マス部
４０２  文字表示マス部
５０１  コピー操作アイコン
５０２  貼り付け操作アイコン
５０３  表示切り替え操作アイコン
５０４  表示する元々の文字列
５０５  表示仮名列
５０６  文字表示領域
５０７  アイコン表示領域
５０８  文字・音節表示領域
５０９  操作者の手
８０１  携帯端末装置
【図１（ａ）】
2012156607.tif 000003
【図１（ｂ）】
2012156607.tif 000004
【図２（ａ）】
2012156607.tif 000005
【図２（ｂ）】
2012156607.tif 000006
【図３】
2012156607.tif 000007
【図４（ａ）】
2012156607.tif 000008
【図４（ｂ）】
2012156607.tif 000009
【図５（ａ）】
2012156607.tif 000010
【図５（ｂ）】
2012156607.tif 000011
【図６（ａ）】
2012156607.tif 000012
【図６（ｂ）】
2012156607.tif 000013
【図７】
2012156607.tif 000014
【図８】
2012156607.tif 000015